(57)【要約】【課題】  印刷開始時の用紙のガイドを負荷なく行なうことが可能となり、用紙の衝撃による振動がなく、印刷起動時ぶれの生じない良好な印刷品質が得られる連続紙印刷装置を提供する。【解決手段】  感光体(1)上に形成されたトナー像を用紙に転写させる転写器(3)と、転写器に対し用紙搬送方向上流部および下流部に配置され、感光体表面に対して接近および後退可能に設けられた上流ガイド部材(25)および下流ガイド部材(26)と、上流ガイド部材に対しさらに上流部に配置され、ガイド部材の接近および後退動作に伴い発生する用紙の弛みを吸収するバッファ手段とを備えた連続紙印刷装置において、バッファ手段を、独立した駆動源を備え、ガイド部材の接近および後退動作に伴い発生する用紙の弛み量に応じて回転角が制御される偏心ローラ(6)で構成した。【選択図】  図１
2007308269.tif 000002
【特許請求の範囲】
【請求項１】
感光体上に形成されたトナー像を用紙に転写させる転写器と、転写器に対し用紙搬送方向上流部および下流部に配置され、感光体表面に対して接近および後退可能に設けられた上流ガイド部材および下流ガイド部材と、前記上流ガイド部材に対しさらに上流部に配置され、前記ガイド部材の接近および後退動作に伴い発生する用紙の弛みを吸収するバッファ手段とを備えた連続紙印刷装置において、
前記バッファ手段を、独立した駆動源を備え、前記ガイド部材の接近および後退動作に伴い発生する用紙の弛み量に応じて回転角が制御される偏心ローラで構成したことを特徴とする連続紙印刷装置。
【発明の詳細な説明】
【技術分野】
【０００１】
本発明は、連続紙に画像を形成する連続紙印刷装置に関するものである。
【背景技術】
【０００２】
図７に連続紙印刷装置の概略構成を示す。感光体ドラム１の表面に帯電器１１により電荷が付与され、露光光源１２により印刷データに基づく露光パターンが照射され、感光体ドラム１には静電潜像が形成される。感光体ドラム１上の静電潜像は、現像機１３で現像され、トナー像として可視化される。
【０００３】
用紙７は、搬送装置１４、１５、１６により転写機構部１０に搬送され、コロナ転写器により感光体ドラム１上のトナー像が用紙７に転写され、サクションベルト装置２１にてエアーで吸着されながら定着部へ送られ、プレヒータ１７を通過時に、トナー樹脂の転移温度付近まで加熱された後、ヒータを内蔵した加熱ローラ１８とバックアップローラ１９からなる定着機によりトナー像は用紙７に溶融固着される。
【０００４】
連続紙印刷装置は、従来は主に帳票へのコンピュータ出力印刷に使用されていたが、最近では高速可変情報印刷としての機能を活かし、ダイレクトメールや請求書、マニュアル、書物等の多用途印刷に使用されるようになった。また、連続紙の種類においても、薄紙から厚紙、上質紙から粗面紙等、多種にわたっている。このような多用途に対応する場合、画質を支配するのは転写性能である。
【０００５】
そのため、転写機構部１０には図４に示すように、感光体ドラム１と用紙７との密着性を上げ転写性向上を実現するため転写ハウジング２の上下に用紙搬送のための入口ガイド２５および出口ガイド２６を設けている。
【０００６】
各ガイド２５、２６は、印刷中には感光体ドラム１から極少ない間隔をもって保持され、用紙７と感光体ドラム１の密着性を上げる構成となっている。しかしながら、用紙７の装填時あるいは用紙ジャム時において用紙７を取り除く際には、転写機構部１０を感光体ドラム１から離す必要があるため、本体に設けられたサーボモータ４（以下、リトラクタモータという）にリンク５を介して転写器ハウジング２が連結されており、感光体ドラム１に対し、支軸Ａを回転中心として接近および後退動作が可能な構成となっている。
【０００７】
また、転写機構部１０は、転写器３を囲む転写器ハウジング２と、転写ハウジング２に連結されたリンク２３に設けられた板状の転写補助ガイド板２２を有しており、転写ハウジング２が印刷状態になる時は転写補助ガイド板２２も用紙７をガイドし、転写機構部１０に用紙７を案内する機構となっている。なお、２０は本体に設けられた用紙７をガイドする用紙ガイド板である。
【発明の開示】
【発明が解決しようとする課題】
【０００８】
印刷が開始されると、感光体ドラム１上のトナー像９を用紙７に転写するべく用紙７の搬送が開始される。したがって、用紙７は転写器３に対向した位置に至る頃には、転写機構部１０は図４の状態になるが、転写補助ガイド板２２は、リンク２３により転写ハウジング２の動作と連動しているため、リンク２３と支軸２４のがたで振動しながら図４の状態となる。
【０００９】
このため、用紙７も転写補助ガイド板２２にて一定の張力をもって裏面よりガイドされているため転写補助ガイド板２２が当接した際に衝撃により振動する。その結果、用紙７の振動が転写部へ伝播し用紙７と感光体ドラム１の密着が保てず、用紙２上において画像ぶれとなり印刷品質が劣化してしまう（以下、起動時印刷ぶれという）。
【００１０】
また、印刷停止時には次の印刷開始に備えるため用紙７の先頭を転写点Ｃより、用紙の進行方向上流側に戻しているため、図７に示すサクションベルト装置２１の用紙７のエアー吸引も解除され、揺動プレート２７の反力により用紙７が持ち上げられ転写部で用紙７の弛みが生じる。そして、図５のように転写部で用紙７の弛みが生じると、用紙７の弛みが感光体ドラム１上に静電吸着し、感光体ドラム１上のトナー像９と接触して用紙７が汚れるといった不具合を招いてしまう（以下、印刷停止時汚れという）。
【００１１】
図６に印刷停止時に転写器ハウジング２が後退動作を開始してから完了した時の用紙７の弛み量のプロフィールを示す。図のように後退動作が完了した時が最も弛み量が多くなる。
【課題を解決するための手段】
【００１２】
本発明は、感光体上に形成されたトナー像を用紙に転写させる転写器と、転写器に対し用紙搬送方向上流部および下流部に配置され、感光体表面に対して接近および後退可能に設けられた上流ガイド部材および下流ガイド部材と、前記上流ガイド部材に対しさらに上流部に配置され、前記ガイド部材の接近および後退動作に伴い発生する用紙の弛みを吸収するバッファ手段とを備えた連続紙印刷装置において、前記バッファ手段を、独立した駆動源を備え、前記ガイド部材の接近および後退動作に伴い発生する用紙の弛み量に応じて回転角が制御される偏心ローラで構成したことを特徴とする。
【発明の効果】
【００１３】
本発明によれば、印刷開始時の用紙のガイドを負荷なく行なうことが可能となり、用紙の衝撃による振動がなく、印刷起動時ぶれの生じない良好な印刷品質が得られる。
【発明を実施するための最良の形態】
【００１４】
本発明の一実施例を図１、図２および図３を用いて説明する。図１は本発明の実施例である転写機構部１０を示したものであり、本実施例では、感光体ドラム１としてセレン感光体やプラスＯＰＣ、アモルファスシリコン（ａ−Ｓｉ）等のプラス帯電感光体を用いた場合を示す。
【００１５】
感光体ドラム１の現像方式は反転現像方式であり、トナーの帯電極性はプラス極性である。転写機構部１０は転写器ハウジング２の内部に負帯電の転写器３が格納されている。転写器３が格納された転写器ハウジング２はリトラクタモータ４にリンク５を介し連結されており感光体ドラム１面に対し、支軸Ａを回転中心に接近と後退が可能な構成である。
【００１６】
印刷開始時は、転写ハウジング２に設けられた入口ガイド２５と出口ガイド２６が感光体ドラム１の表面に対して極めて小さい間隔（０．５ｍｍ〜０．９ｍｍ）を保って保持される。印刷動作が中断あるいは停止した時は、用紙７と接触している両ガイド２５、２６の後退動作を早急に行なう必要がある。
【００１７】
６は用紙ガイド機構（ローラ）である。本発明では用紙ガイド機構に偏心ローラを採用している。図１は印刷中の転写機構部１０の状態であり、図２は印刷開始時直後の状態を表した図である。用紙７先頭頁の１行目が転写点Ｃに到達する以前に、転写ハウジング２は、図１の状態になるように制御されている。
【００１８】
一方、偏心ローラ６の回転軸８は駆動用のステップモータ（図示せず）に結合されており、ステップモータの回転に従って偏心ローラ６も時計回りに回転する。印刷動作が開始される信号によりリトラクタモータ４が回転し、転写器ハウジング２が接近動作を始める時、その信号はステップモータの駆動を制御するための制御信号として用いられる。リトラクタモータ４のオン出力信号はステップモータの駆動回路（図示せず）を介してステップモータに伝達される。
【００１９】
印刷開始から用紙７の走行が進むにしたがって徐々に偏心ローラ６を回転させ、用紙７に常にガイド（接触した）状態になるようにステップモータの回転を制御する。そして、最終的に偏心ローラ６が図１の位置までくるようにモータの回転を制御する。こうして、用紙搬送開始時に急激かつ過剰な衝撃による振動を用紙７に与えることを防ぐことができ、印刷起動時ぶれを低減することが可能となる。
【００２０】
図３は印刷停止時の状態である。用紙ガイド機構として偏心ローラ６を用いることにより、従来、印刷停止時に次の印刷開始に備えるため用紙７の先頭頁を転写点Ｃより、用紙の進行方向上流側に戻すため、図６および図７に示すサクションベルト装置２１の用紙７のエア吸引を解除する時に転写部で発生していた用紙７の弛みが、偏心ローラ６を常に用紙７に接触させるように（張力をかけながら）偏心ローラ６の回転角を制御しているためなくすことが可能となり、用紙７が感光体ドラム１と接触することがなく印刷停止時汚れをなくすことが可能となる。なお、偏心ローラ６は、転写ハウジング２に設けても本体に設けてもよい。
【図面の簡単な説明】
【００２１】
【図１】印刷中の本発明の転写部を示す説明図である。
【図２】印刷開始直後の本発明の転写部を示す説明図である。
【図３】印刷停止時の本発明の転写部を示す説明図である。
【図４】印刷中の従来の転写部を示す説明図である。
【図５】印刷停止時の従来の転写部を示す説明図である。
【図６】転写ハウジングが後進することによる従来の用紙の弛み量を示す説明図である。
【図７】連続紙印刷装置の構成を示す全体構成図である。
【符号の説明】
【００２２】
１  感光体ドラム
２  転写器ハウジング
３  転写器
４  リトラクタモータ
５  リンク
６  偏心ローラ
７  用紙
８  偏心ローラ回転軸
９  トナー画像
１０  転写機構部
１１  帯電器
１２  露光光源
１３  現像機
１４、１５、１６  用紙搬送装置
１７  プレヒータ
１８  加熱ローラ
１９  バックアップローラ
２０  用紙ガイド板
２１  サクションベルト装置
２２  転写補助ガイド板
２３  リンク
２４  支軸
２５  入口ガイド
２６  出口ガイド
２７  揺動プレート
【図１】
2007308269.tif 000003
【図２】
2007308269.tif 000004
【図３】
2007308269.tif 000005
【図４】
2007308269.tif 000006
【図５】
2007308269.tif 000007
【図６】
2007308269.tif 000008
【図７】
2007308269.tif 000009